(57)【要約】【課題】記録媒体を利用する記録再生装置において、画像／音声データの記録する記録媒体を管理でき、さらには複製が存在しない画像／音声データを利用者が誤消去することを防ぐことが可能な記録再生技術を提供する。【解決手段】記録再生装置に、データを記録する記録媒体に関するバックアップ情報を生成する手段を設け、ある記録媒体に記録されたデータのバックアップデータが他の記録媒体に存在するか否かを管理する。また、このバックアップ情報を用い、バックアップデータが存在しないデータを削除しようとする際に警告を与え、誤消去を防止する。【選択図】　図６
2004062957.tif 000002
【特許請求の範囲】
【請求項１】
複数の記録媒体に画像データまたは音声データを記録する記録方法であって、
撮影対象を画像データまたは音声データに変換し、
前記データを元データとして第１の記録媒体に記録し、
バックアップデータ作成指令に応答して、前記元データのバックアップデータを作成し、
前記バックアップデータを第２の記録媒体に記録し、
前記元データのバックアップ情報を作成し、
前記バックアップ情報を前記第１の記録媒体に記録することを特徴とする記録方法。
【請求項２】
前記バックアップ情報は、バックアップデータの有無、バックアップデータ履歴、バックアップデータ記録先情報、バックアップデータアドレスの少なくとも１つであることを特徴とする請求項１記載の記録方法。
【請求項３】
前記バックアップデータ履歴はバックアップ作成履歴またはバックアップデータ記録履歴であることを特徴する請求項２記載の記録方法。
【請求項４】
前記バックアップデータ記録先情報は、前記バックアップデータの存在する媒体の媒体ＩＤであることを特徴とする請求項２記載の記録方法。
【請求項５】
前記バックアップ情報を前記第１の記録媒体にすることに代えて、前記バックアップ情報を第３の記録媒体に記録することを特徴とする請求項１記載の記録方法。
【請求項６】
前記バックアップ情報はファイルシステムの一部からなることを特徴とする請求項１記載の記録方法。
【請求項７】
前記バックアップ情報は前記元データを管理する管理ファイルの一部として記録されることを特徴とする請求項１記載の記録方法。
【請求項８】
複数の記録媒体に画像データまたは音声データを記録する記録方法であって、
撮影対象を画像データまたは音声データに変換し、
前記データを元データとして第１の記録媒体に記録し、
バックアップデータ作成指令に応答して、前記元データのバックアップデータを作成し、
前記バックアップデータを第２の記録媒体に記録し、
前記バックアップデータの元データ情報を作成し、
前記元データ情報を第２の記録媒体に記録することを特徴とする記録方法。
【請求項９】
前記元データ情報は、元データの有無、元データ記録先情報、元データアドレスの少なくとも１つであることを特徴とする請求項８記載の記録方法。
【請求項１０】
前記元データ記録先情報は前記元データの存在する媒体の媒体ＩＤであることを特徴とする請求項９記載の記録方法。
【請求項１１】
元データを作成し、
前記元データを記録し、
前記元データのバックアップ情報を作成し、
前記バックアップ情報を記録することを特徴とする記録方法。
【請求項１２】
元データを作成し、
前記元データを記録し、
バックアップデータ作成指令に応答して、前記元データのバックアップデータを作成し、
前記バックアップデータを記録し、
前記元データのバックアップ情報を作成し、
前記バックアップ情報を記録することを特徴とする記録方法。
【請求項１３】
元データが存在し、
バックアップデータ作成指令に応答して、前記元データのバックアップデータを作成し、
前記バックアップデータを記録し、
前記元データのバックアップ情報を作成し、
前記バックアップ情報を記録することを特徴とする記録方法。
【請求項１４】
前記元データのバックアップ情報を作成及び記録することに代えて、前記バックアップデータの元データ情報を作成及び記録することを特徴とする請求項１２または請求項１３記載の記録方法。
【請求項１５】
前記バックアップ情報は、バックアップデータの有無、バックアップデータ履歴、バックアップデータ記録先情報、バックアップデータアドレスの少なくとも１つであることを特徴とする請求項１１、請求項１２または請求項１３記載の記録方法。
【請求項１６】
前記元データ情報は、元データの有無、元データ記録先情報、元データアドレスの少なくとも１つであることを特徴とする請求項１４記載の記録方法。
【請求項１７】
前記バックアップデータ履歴はバックアップ作成履歴またはバックアップデータ記録履歴であることを特徴する請求項１５記載の記録方法。
【請求項１８】
前記バックアップデータ記録先情報は前記バックアップデータの存在する媒体の媒体ＩＤであることを特徴とする請求項１５記載の記録方法。
【請求項１９】
前記元データ記録先情報は前記元データの存在する媒体の媒体ＩＤであることを特徴とする請求項１６記載の記録方法。
【請求項２０】
元データを作成し記録し、前記元データのバックアップ情報を作成し記録した記録媒体を再生する再生方法であって、
バックアップ情報を読み出し、前記バックアップ情報を映像情報に変換し、出力することを特徴とする再生方法。
【請求項２１】
前記元データは画像データまたは音声データであることを特徴とする請求項２０記載の再生方法。
【請求項２２】
前記バックアップ情報を読み出すことに加えて、前記元データも読み出し、前記バックアップ情報と前記元データを映像情報に変換し、出力することを特徴とする請求項２０記載の再生方法。
【請求項２３】
前記映像情報は、元データの種類、元データを記録している記録媒体情報、バックアップデータを記録している記録媒体情報の少なくとも一つを含むことを特徴とする請求項２０記載の再生方法。
【請求項２４】
元データを作成し記録し、前記元データのバックアップ情報を作成し記録した記録媒体から元データを削除する削除方法であって、
元データ削除指令に応答して前記元データのバックアップ情報を読み出し、
バックアップデータの有無を識別し、
バックアップデータが存在しない前記元データを削除しようとする場合に利用者に警告を表示することを特徴とする削除方法。
【請求項２５】
元データを作成し記録し、前記元データのバックアップ情報を作成し記録した記録媒体から元データを削除する削除方法であって、
元データ削除指令に応答して、前記元データのバックアップ情報を読み出し、
前記バックアップ情報に従いバックアップデータにアクセスを試み、
前記バックアップデータへアクセスできない前記元データを削除しようとする場合に利用者に警告を表示することを特徴とする削除方法。
【請求項２６】
前記元データは画像データまたは音声データであることを特徴とする請求項２４記載の削除方法。
【請求項２７】
前記元データのバックアップデータ及び元データ情報が存在する場合、前記元データ削除実行指令を受け、前記元データの削除及び前記元データ情報の書き換えを行うことを特徴とする請求項２４記載の削除方法。
【請求項２８】
元データを記録する記録装置であって、
バックアップ情報の作成指示を出すプロセッサと、
バックアップ情報を作成する電子回路と、
元データ及びバックアップ情報を記録媒体に記録する記録ヘッドとを備えた記録装置。
【請求項２９】
前記バックアップ情報は、バックアップデータの有無、バックアップデータ履歴、バックアップデータ記録先情報、バックアップデータアドレスの少なくとも１つであることを特徴とする請求項２８記載の記録装置。
【請求項３０】
前記バックアップデータ履歴はバックアップ作成履歴またはバックアップデータ記録履歴であることを特徴する請求項２９記載の記録装置。
【請求項３１】
前記バックアップデータ記録先情報は、前記バックアップデータの存在する媒体の媒体ＩＤであることを特徴とする請求項２９記載の記録装置。
【請求項３２】
元データを作成し記録し、前記元データのバックアップ情報を作成し記録した記録媒体再生する再生装置であって、
前記バックアップ情報を読み出す再生ヘッドと、
該読み出されたバックアップ情報の内容を処理する電子回路と、
処理されたバックアップ情報を映像として出力する処理回路を備えた再生装置
【請求項３３】
前記元データは画像データまたは音声データであることを特徴とする請求項３２記載の再生装置。
【請求項３４】
前記バックアップ情報を読み出すことに加えて、前記元データも読み出す再生ヘッドと、
該読み出された元データ及びバックアップ情報の内容を処理する電子回路と、該処理された元データ及びバックアップ情報を映像信号として出力する処理回路を備えた請求項３２記載の再生装置。
【請求項３５】
前記映像は、元データの種類、元データを記録している記録媒体情報、バックアップデータを記録している記録媒体情報の少なくとも一つを含むことを特徴とする請求項３２記載の再生装置。
【請求項３６】
元データを作成し記録し、前記元データのバックアップ情報を作成し記録した記録媒体の元データを削除する削除装置であって、
受信した元データ削除指令に応答して前記元データのバックアップ情報を読み出す再生ヘッドと、
バックアップデータがない前記元データを削除しようとする場合に警告表示を指示するプロセッサと、
該指示に従い警告を表示装置に出力する処理回路とを備えた削除装置。
【請求項３７】
元データを作成し記録し、前記元データのバックアップ情報を作成し記録した記録媒体の元データを削除する削除装置であって、
受信した元データ削除指令に応答して前記元データのバックアップ情報を読み出し、前記バックアップ情報に従いバックアップデータにアクセスを試る再生ヘッドと、
バックアップデータにアクセスできない元データを削除しようとする場合に警告表示を指示するプロセッサと、
該指示に従い警告を表示装置に出力する処理回路とを備えた削除装置。
【請求項３８】
前記元データのバックアップデータ及び元データ情報が存在する場合、前記元データ削除実行指令を受け、前記元データの削除及び前記元データ情報の書き換えを行う記録ヘッドを備えた請求項３６記載の削除装置。
【発明の詳細な説明】
【０００１】
【発明の属する技術分野】
本発明は、データを記録、再生する装置に係り、特に複数個の同一データを一つ以上の記録媒体に記録し保存できる技術に関する。
【０００２】
【従来の技術】
記録装置においては、誤操作などによるデータの破壊や誤った更新に備えバックアップデータを作っておくことができる。バックアップデータを作成しておいた場合には、元データを誤消去したり誤った更新をした場合に、バックアップデータより元データを再び作り直すことができる。また、バックアップデータを元データと異なる記録媒体に記録しておけば、元データを記録した記録媒体の故障時にもデータの再生が可能である。近年のパソコン（パーソナルコンピューター）においては、記録装置としてはＨＤＤ（Ｈａｒｄ　Ｄｉｓｃ　Ｄｒｉｖｅ）、ＦＤＤ（Ｆｌｅｘｉｂｌｅ　Ｄｉｓｃ　Ｄｒｉｖｅ）、ＣＤ−Ｒ（Ｃｏｍｐａｃｔ　Ｄｉｓｃ−Ｒｅｃｏｒｄａｂｌｅ）、ＣＤ−ＲＷ（ＣＤ−ＲｅＷｒｉｔａｂｌｅ）、ＤＶＤ−ＲＡＭ（Ｄｉｇｉｔａｌ　Ｖｅｒｓａｔｉｌｅ　Ｄｉｓｃ−Ｒａｎｄｏｍ　Ａｃｃｅｓｓ　Ｍｅｍｏｒｙ）等、複数の記録媒体を備えたものが普及しており、複数のまたは同一の媒体内でバックアップデータを作ることは一般化している。
【０００３】
また、ビデオカメラレコーダーにおいては、従来の記録媒体であるビデオテープのほかにメモリカードを併用するビデオカメラレコーダーが複数のメーカーから市販されている。メモリカード記録装置を内蔵したビデオカメラレコーダーの技術に関しては、特開２００１−５３９９４号公報にメモリカード記録装置を内蔵したビデオカメラレコーダーの小型化の技術が開示されている。前記ビデオカメラレコーダーでは、画像、音声のうちの片方または両方を含んだ画像／音声データをメモリカード、またはビデオテープなどに選択して記録することができる。これらの画像／音声データはバックアップデータを作成することもでき、同じ被写体を移した画像／音声データがメモリカードとビデオテープの両方に存在するということもある。
【０００４】
バックアップデータを作成し記録する方法には、データの作成記録する時に、元データとバックアップデータの双方を作成し、記録媒体に記録する方法がある。また、既に作成し記録した元データに対しバックアップデータが必要になったときには、前記元データのバックアップデータを作成し記録媒体に記録する方法もある。このようにして作成記録されたバックアップデータは、元データと同様に再生することができ、また、不要になったときには、削除することもできる。
【０００５】
【発明が解決しようとする課題】
上記に示すパソコンに代表される記録再生装置により記録されたデータは、元データのみが存在する場合と、元データとバックアップデータが存在する場合とバックアップデータのみが存在する場合がある。この場合においては、あるデータが元データなのか、それともバックアップデータなのかが区別できず、また、対応するバックアップデータや元データが存在するとしたらいくつ存在するのか、また存在さえしないのかが不明であり、データの管理が容易ではない。また、バックアップデータがあるものと勘違いをし、バックアップデータのない元データを誤消去してしまうこともしばしば起こりうるため、大切なデータを失ってしまうことがある。
【０００６】
そこで本発明では前記課題に鑑み、元データと共に前記データのバックアップデータに関するバックアップ情報を記録し、またバックアップデータと共に前記データの元データに関する元データ情報を記録し、元データとバックアップデータを結びつけ記録媒体の管理の容易化を図り、また、利用者が記録媒体から前記データを消去する場合は、前記バックアップ情報を読み出し、バックアップデータが存在しなければ利用者に警告を与えることで誤消去を防ぐ使い勝手の良い記録再生技術を提供することを目的とする。
【０００７】
【課題を解決するための手段】
本発明の目的を達成するために、本発明では次の（Ａ）〜（Ｅ）のような記録方法を行う。
【０００８】
（Ａ）複数の記録媒体に画像データまたは音声データを記録する記録方法であって、撮影対象を画像データまたは音声データに変換し、前記データを第１の記録媒体に記録し、受信したバックアップデータ作成指令に応答して、データ信号処理を指示し、該指示に応答して、前記データのバックアップデータを作成し、前記バックアップデータを第２の記録媒体に記録し、前記データのバックアップ情報を作成し、前記バックアップ情報を前記第１の記録媒体に記録することを特徴とする記録方法。
【０００９】
（Ｂ）複数の記録媒体に画像データまたは音声データを記録する記録方法であって、撮影対象を画像データまたは音声データに変換し、前記データを第１の記録媒体に記録し、受信したバックアップデータ作成指令に応答して、データ信号処理を指示し、該指示に応答して、前記データのバックアップデータを作成し、前記バックアップデータを第２の記録媒体に記録し、前記バックアップデータの元データ情報を作成し、前記元データ情報を第２の記録媒体に記録することを特徴とする記録方法。
【００１０】
（Ｃ）データを作成し、前記データを記録し、該データのバックアップ情報を作成し、前記バックアップ情報を記録することを特徴とする記録方法。
【００１１】
（Ｄ）データを作成し、前記データを記録し、受信したバックアップデータ作成指令に応答して、前記データのバックアップデータを作成し、前記バックアップデータを記録し、前記データのバックアップ情報を作成し、前記バックアップ情報を記録することを特徴とする記録方法。
【００１２】
（Ｅ）データが存在し、受信したバックアップデータ作成指令に応答して、前記データのバックアップデータを作成し、前記バックアップデータを記録し、前記データのバックアップ情報を作成し、前記バックアップ情報を記録することを特徴とする記録方法。
【００１３】
また、再生方法においては、（Ｆ）のような方法を行う。
【００１４】
（Ｆ）データを作成し記録し、前記データのバックアップ情報を作成し記録した記録媒体を再生する再生方法であって、バックアップ情報を読み出し、前記バックアップ情報を映像情報に変換し、出力することを特徴とする再生方法。
【００１５】
加えて、削除方法においては、（Ｇ）、（Ｈ）のような方法を行う。
【００１６】
（Ｇ）データを作成し記録し、前記データのバックアップ情報を作成し記録した記録媒体からデータを削除する削除方法であって、データ削除指令に応答して前記データのバックアップ情報を読み出し、バックアップデータの有無を識別し、バックアップデータが存在しない前記データを削除しようとする場合に利用者に警告を表示することを特徴とする削除方法。
【００１７】
（Ｈ）データを作成し記録し、前記データのバックアップ情報を作成し記録した記録媒体からデータを削除する削除方法であって、データ削除指令に応答して、前記データのバックアップ情報を読み出し、前記バックアップ情報に従いバックアップデータにアクセスを試み、前記バックアップデータへアクセスできない前記データを削除しようとする場合に利用者に警告を表示することを特徴とする削除方法。
【００１８】
次に前記の（Ａ）〜（Ｈ）の方法を実行するための装置を（Ｉ）〜（Ｌ）に示す。
【００１９】
（Ｉ）データを記録する記録装置であって、バックアップ情報の作成指示を出すプロセッサと、バックアップ情報を作成する電子回路と、データ及びバックアップ情報を記録媒体に記録する記録ヘッドとを備えた記録装置。
【００２０】
（Ｊ）データを作成し記録し、前記データのバックアップ情報を作成し記録した記録媒体再生する再生装置であって、前記バックアップ情報を読み出す再生ヘッドと、該読み出されたバックアップ情報の内容を処理する電子回路と、処理されたバックアップ情報を映像信号として出力する処理回路を備えた再生装置。
【００２１】
（Ｋ）データを作成し記録し、前記データのバックアップ情報を作成し記録した記録媒体のデータを削除する削除装置であって、受信したデータ削除指令に応答して前記データのバックアップ情報を読み出す再生ヘッドと、バックアップデータがない前記データを削除しようとする場合に警告表示を指示するプロセッサと、該指示に従い警告を表示装置に出力する処理回路とを備えた削除装置。
【００２２】
（Ｌ）データを作成し記録し、前記データのバックアップ情報を作成し記録した記録媒体のデータを削除する削除装置であって、受信したデータ削除指令に応答して前記データのバックアップ情報を読み出し、前記バックアップ情報に従いバックアップデータにアクセスを試る再生ヘッドと、バックアップデータにアクセスできないデータを削除しようとする場合に警告表示を指示するプロセッサと、該指示に従い警告を表示装置に出力する処理回路とを備えた削除装置。
【００２３】
次に、語句について説明する。
【００２４】
前記データは、後述の元データとバックアップデータを総称したものである。
【００２５】
前記元データとは、新たに作成されたり他のデータの内容を変更して作成されたものである。
【００２６】
前記バックアップデータとは、前記元データをもとに作成され、前記元データと同一の内容を持つものである。前記元データと同一の内容であれば、データ形式が同じものも異なるものも、容量が同じものも異なるものも含む。
【００２７】
前記画像／音声データとは、元データとバックアップデータを総称したデータのうち、画像または音声のデータを含むものである。
【００２８】
前記バックアップ情報とは、バックアップデータに関する情報を記したものである。バックアップ情報は、例えばバックアップデータの有無、バックアップデータ履歴、バックアップデータ記録先情報、バックアップデータアドレスなどを含んでいる。バックアップデータ履歴はバックアップ作成履歴とバックアップ記録履歴などがある。バックアップ記録先情報は、例えばバックアップデータの存在する媒体ＩＤ（Ｉｄｅｎｔｉｆｉｃａｔｉｏｎ）である。
【００２９】
前記元データ情報とは、元データに関する情報を記したものである。元データ情報は、例えば元データの有無、元データ記録先情報、元データアドレスなどを含んでいる。元データ記録先情報は、例えば元データの存在する媒体ＩＤである。元データが前記バックアップ情報によりバックアップデータに関する情報を持つのに対して、バックアップデータが前記元データ情報により元データに関する情報を持つ。
【００３０】
前記媒体ＩＤとは、記録媒体を特定するＩＤである。例えば、記録媒体に付加されているＩＤ、任意に付加したＩＤ、記録媒体の種類ごとに付加したＩＤである。
【００３１】
前記記録媒体とは、その内部にデータを記録及び保存ができるものであれば、種類は特に限定されない。記録媒体は、例えばＤＶＤ−ＲＡＭ、ＤＶＤ−Ｒ、ＤＶＤ−ＲＷ、ＣＤ−Ｒ、ＣＤ−ＲＷ、メモリカード、ＨＤＤ、ＦＤＤ、ビデオテープなどである。
【００３２】
前記記録ヘッドとは、記録媒体にデータを記録及び削除ができるものであれば、種類は特に限定されない。記録ヘッドは、例えばＤＶＤ−ＲＡＭなど光ディスクの光ピックアップ、ＨＤＤなど磁気記録媒体の磁気ヘッド、メモリカードなど半導体記録媒体の信号処理回路などである。
【００３３】
前記再生ヘッドとは、記録媒体からデータを再生するものであであれば、種類は特に限定されない。再生ヘッドは、例えばＤＶＤ−ＲＡＭなど光ディスクの光ピックアップ、ＨＤＤなど磁気記録媒体の磁気ヘッド、メモリカードなど半導体記録媒体の信号処理回路などである。
【００３４】
【発明の実施の形態】
以下、本発明による記録再生装置の実施の形態について、ビデオカメラレコーダーの実施例を用い、図を参照して説明する。まず、画像／音声データを記録媒体に記録する方法について説明する。図１はビデオカメラレコーダーの一実施例を示すブロック図である。レンズ１００は撮影対象から光を鮮明にとらえるよう焦点を合わせ、ＣＣＤ（Ｃｈａｒｇｅ　Ｃｏｕｐｌｅｄ　Ｄｉｏｄｅ）１０１はレンズ１００を通して得られた光信号を電気信号に変換し、Ａ／Ｄ（Ａｎａｌｏｇ　Ｄｉｇｉｔａｌ）変換機１０２はＣＣＤ１０１によって変換されたアナログ電気信号をデジタル信号に変換し、信号処理部１０３はＡ／Ｄ変換機１０２で変換されたデジタル信号をＭＰＥＧの圧縮が行えるようなフォーマットに変換し、画像符号復号部１０４は、信号処理部１０３で変換された画像信号をＭＰＥＧやＪＰＥＧ形式へのデジタル符号化を行い、メモリ１０５は、画像符号復号部１０４が画像データの符号化、復号化の際に使用する。また、ＡＭＰ（Ａｍｐｌｉｆｉｅｒ）部１１２はマイク１１０からの音声信号を増幅し、Ａ／Ｄ及びＤ／Ａ（Ｄｉｇｉｔａｌ　Ａｎａｌｏｇ）変換機１１３はＡＭＰ部１１２で増幅された音声信号をデジタル信号に変換し、音声符号復号部１１４はＡ／Ｄ及びＤ／Ａ変換機１１３で変換された音声信号をＭＰＥＧ形式等へのデジタル符号化を行う。デジタル符号化された画像データとデジタル符号化された音声データは、多重化／分離化処理部１０６にて多重化され、画像／音声データが作成される。
【００３５】
プロセッサの一種であるメインＣＰＵ１２０は、前記記録再生装置の各部を制御し、所望の記録媒体に画像／音声データを記録するよう記録媒体制御部１３０または記録媒体制御部１４０を制御し、単数あるいは複数の記録媒体に元データとして画像／音声データを記録する。記録媒体管理部１２１は、前記画像／音声データをＤＶＤ−ＲＡＭ１３２、メモリカード１４２を書き込む際に、前記画像／音声データのランダムアクセスや特殊再生を容易にするための記録管理情報を作成する。また、前記記録媒体管理部１２１はバックアップ情報を作成し、元データの記録管理情報の一部としてバックアップ情報を書き込む。前記記録媒体管理部１２１は、電子回路の一種であるメインＣＰＵ１２０がその役割を請け負うこともある。
【００３６】
元データをＤＶＤ−ＲＡＭ１３２のみに記録する場合には、メインＣＰＵ１２０はＤＶＤドライブ制御部１３０を制御し、元データを記録ヘッドの一種である光ピックアップを用いてＤＶＤ−ＲＡＭ１３２に記録する。記録媒体管理部１２１はバックアップデータが無いことを記したバックアップ情報を作成し、ＤＶＤ−ＲＡＭ１３２に記録する。前記バックアップ情報の記録媒体としてＤＶＤ−ＲＡＭ１３２を示したが、他の記録媒体に記録してもよい。
【００３７】
利用者からのバックアップデータ作成指示により、前記元データのバックアップデータを作成しメモリカード１４２に記録したときには、記録媒体管理部１２１が、前記バックアップデータの情報を含んだバックアップ情報を新たに作成し、前記元データのバックアップ情報に上書し書き換える。また、元データ情報をバックアップデータの記録管理情報の一部としてメモリカード１４２に書き込む。
【００３８】
バックアップデータは元データと同一の記録媒体内に記録することも可能であり、同様の手順を行い、バックアップデータ、バックアップ情報、元データ情報を作成し記録する。元のデータが、データ形式や記録媒体に施された書き込み禁止の処理のためにバックアップ情報を書き込めない場合は、前記バックアップデータの元データ情報のみを作成し、バックアップデータの記録管理情報の一部として書き込む。
【００３９】
バックアップデータをビデオカメラレコーダーの外部の記録媒体内に記録することも可能であり、バックアップデータを外部の記録媒体に、バックアップ情報を元データと同一の記録媒体に作成し記録し、可能ならば元データ情報を外部の記録媒体に作成し記録する。
【００４０】
同時に二つの記録媒体に画像／音声データを記録するときには、メインＣＰＵ１２０がＤＶＤドライブ制御部１３０及びメモリカード制御部１４０を制御し、作成された前記元データをＤＶＤ−ＲＡＭ１３２に記録する。そして前記元データのバックアップデータを作成し、メモリカード１４２に記録する。そして、前記元データのバックアップ情報をＤＶＤ−ＲＡＭ１３２に記録し、前記バックアップデータの元データ情報を作成しメモリカード１４２に書き込む。メモリカード１４２に前記元データとバックアップ情報を記録し、ＤＶＤ−ＲＡＭ１３２に前記バックアップデータと前記元データ情報を記録するように、記録媒体を逆にすることも可能である。また、前記元データとバックアップデータがデータ形式等を含め全く同じものである場合には、バックアップデータ作成を省略し、前記元データをＤＶＤ−ＲＡＭ１３２とメモリカード１４２の両記録媒体に記録することも可能である。このようにして、お互いのデータを関連付ける。以上示した方法により、画像／音声データを記録媒体に記録する。
【００４１】
図２は、本発明における前記記録媒体管理部１２１が作成する記録管理情報と、記録されている画像／音声データの一例である。２００は、前記記録管理情報と前記画像／音声データの記録イメージの模式図である。ここでは、画像／音声データがｎ個記録されているところを模している。２２１は、前記記録管理情報２１１の構成を模した模式図であり、１つめのビットストリーム２１２に関する情報からｎ番目のビットストリームに関する情報が格納されている。２３１は、１つめのビットストリームに関する情報の構成を模した模式図であり、例えば１つめのビットストリームの画像サイズや、１つめのビットストリームを記録した記録媒体を示す記録先情報２３２等が格納されている。
【００４２】
図３は、本発明における前記記録媒体管理部１２１が作成する記録管理情報の別の実施例である。３００は、前記記録管理情報と前記画像／音声データで、記録イメージの模式図である。図２同様、画像／音声データがｎ個記録されているところを模している。図２と異なり、各画像／音声データにそれぞれ記録管理情報が付加されている。３１１は、１つめの画像／音声データ３１２に関する記録管理情報で、例えば画像サイズ３２１や前記記録先情報３２２等から構成されている。
【００４３】
前記記録管理情報２２１、３１１は、例えば記録媒体がＤＶＤ−ＲＡＭである場合、リアルタイム記録方式により生成される管理情報とすることが可能であり、ＤＶＤ　Ｓｐｅｃｉｆｉｃａｔｉｏｎｓ　ｆｏｒ　Ｒｅｗｒｉｔａｂｌｅ／Ｒｅ−ｒｅｃｏｒｄａｂｌｅ　Ｄｉｓｃｓ　Ｐａｒｔ　３　ＶＩＤＥＯ　ＲＥＣＯＲＤＩＮＧなどに記述されている。また、前記記録管理情報のファイルシステムは使用記録媒体によって変わり、例えば前記記録媒体がメモリカードの場合にはパソコンで一般に使用されているＦＡＴ（Ｆｉｌｅ　Ａｌｌｏｃａｔｉｏｎ　Ｔａｂｌｅ）ファイルシステム等のファイルシステムが用いられる。なお、図２、図３において、前記バックアップ情報及び元データ情報は前記記録管理情報の一部としているが、一部とせず、前記記録管理情報と別の情報として記録媒体に記録することも可能である。
【００４４】
次に、以上示した方法により記録媒体に記録された画像／音声データを読み出し、再生する方法について説明する。光ピックアップなどの再生ヘッドによりＤＶＤ−ＲＡＭ１３２またはメモリカード１４２から読み出された画像／音声データは、多重化／分離化処理部１０６により分離され、デジタル符号化された画像データとデジタル符号化された音声データに変換される。
【００４５】
画像データに関しては、画像符号復号部１０４はデジタル符号化された画像データを復号し、信号処理部１０３は画像符号復号部１０４において復号された画像データをＮＴＳＣなどへのフォーマット変換しＬＣＤ（Ｌｉｑｕｉｄ　Ｃｒｙｓｔａｌ　Ｄｉｓｐｌａｙ）パネル１０７や外部画像表示装置に出力する。このとき、前記画像／音声データが元データである場合、メインＣＰＵ１２０は、記録媒体制御部１３０及び記録媒体制御部１４０に指示を出しＤＶＤ−ＲＡＭ１３２、メモリカード１４２から前記元データの記録管理情報部中のバックアップ情報を読み出し、記録媒体管理部１２１はバックアップ情報を処理し、処理回路の一種であるＯＳＤ（Ｏｎ　Ｓｃｒｅｅｎ　Ｄｉｓｐｌａｙ）合成部１０８は処理されたバックアップ情報をＯＳＤとしてＬＣＤパネル１１０や外部画像表示装置に信号処理部を経て出力する。前記画像／音声データが元データである場合には、バックアップ情報の代わりに元データ情報を読み出し、同様の処理をする。
【００４６】
また、音声データに関しては、音声符号復号部１１４はデジタル符号化された音声データを復号し、Ａ／Ｄ及びＤ／Ａ変換機１１３は音声符号復号部１１４が復号したデジタル音声信号をアナログ音声信号に変換、ＡＭＰ部１１２は前記アナログ音声信号を増幅し、スピーカー１１１や外部出力装置に出力する。以上示した方法により、前記記録再生装置において、前記記録媒体に記録されている画像／音声データを再生する。
【００４７】
ランダムアクセスが可能な記録媒体を用いた記録再生装置においては、記録されている画像／音声データを外部表示装置に一覧表示し、再生する画像／音声データの選択性を向上させることができる。本発明における前記バックアップ情報及び元データ情報を用いた画像／音声データの一覧表示における画像／音声データの選択性をさらに向上させる方法について説明する。利用者から記録されている画像／音声データの一覧表示の指示があると、ＤＶＤドライブ制御部１３０、メモリカード制御部１４０は上記の方法によりＤＶＤ−ＲＡＭ１３２、メモリカード１４２から前記画像／音声データを読み出し、復号し、前記画像データの縮小画像を作成し、前記ＯＳＤ合成部１０８で前記画像とグラフィックスを合成することで、記録されている画像を一覧表示させる。
【００４８】
図４は、前記一覧表示の一実施例である。４０は前記外部表示装置の表示枠、４１は記録されている画像データの縮小画像、４２は動画や静止画等の前記画像／音声データの種別を示す種別アイコン、４３は利用者が選択している画像／音声データを示す表示選択枠、４４及び４５は前記縮小画像の元の画像データが記録されている記録媒体を示す記録媒体アイコンである。前記記録媒体管理部１２１は上記の方法により記録媒体に記録されている前記記録管理情報を読み出し、縮小表示する画像の元となる画像／音声データの種別を取得し、メインＣＰＵ１２０に送信する。メインＣＰＵ１２０は、送信された情報に応じて表示する種別アイコンを決定し、動画や静止画といったデータの種別を示す種別アイコンを前記ＯＳＤ合成部１０８で縮小画像と合成し、前記外部表示装置に表示する。さらに前記記録媒体管理部１２１は、画像／音声データが元データである場合には、前記記録管理情報に含まれる元データのアドレス及びバックアップ情報を読み出し、縮小表示する画像の元となる元データ及びそのバックアップデータが記録されている記録媒体を識別し、識別結果をメインＣＰＵ１２０に送信する。メインＣＰＵ１２０は送信された前記識別結果に応じて表示する記録媒体アイコンを決定し、前記元データ及び前記バックアップデータが記録されている記録媒体の前記記録媒体アイコンを前記ＯＳＤ合成部１０８で前記縮小画像と合成し、外部表示装置にて表示するよう各部の制御を行う。以上示した方法により、記録媒体に記録されている画像／音声データを一覧表示することで、利用者は表示されている画像／音声データの種類と画像／音声データ及びバックアップデータが記録されている記録媒体を容易に判断できるようになる。
【００４９】
次に、前記記録媒体に記録されている前記記録管理情報に格納されているバックアップ情報を用いた場合の画像／音声データの削除方法について説明する。前述の画像／音声データの一覧表示において、記録媒体に記録されている画像／音声データの内、不要になった前記画像／音声データを記録媒体から消去することも可能である。不要となった元データを消去する場合は、消去したい元データの縮小画像に前記記録再生装置に備え付けられたボタンやリモコン等を用いて前記表示選択枠４３を合わせる。その後利用者は削除処理を実行するよう前記記録再生装置に命令する。前記メインＣＰＵ１２０は、利用者からの削除指示を受け、削除指示の確認をＯＳＤを用いて行う。利用者から削除してよいという指示が出た場合、前記表示選択枠５３で選択されている縮小画像の元となる前記元データのバックアップ情報を読み出す指令を出す。読み出された前記バックアップ情報からバックアップデータが存在するか否かを識別し、バックアップデータが存在する場合には削除作業を実行し、バックアップデータが存在しない場合には利用者に警告を与え、本当に削除してよいか再確認をする。そして利用者から削除指令が出された場合には前記元データ削除を実行する。
【００５０】
図５は、上記した方法により、利用者が前記記録媒体から目的の画像／音声データを消去する際、外部表示装置に表示する画面の一実施例である。図５の上段の図は、上記した方法により、利用者が記録媒体に記録されている元データを削除しようとした際の表示画面の一実施例であり、５１は利用者による削除の指示により表示する注意画面である。前記メインＣＰＵ１２０は、利用者から元データの削除指示を受け、前記注意画面５１を表示するよう前記ＯＳＤ合成部１０８を制御する。図５において、５２及び５３は、前記注意画面５１が表示されている間、利用者が選択可能な画面上のボタンであり、前記注意画面５１で表示されている注意文に対する利用者の指示を決定するためのものであり、前記記録再生装置に備え付けられたボタンやリモコン等により、利用者は前記ボタンを選択可能である。上記メインＣＰＵ１２０は、利用者の指示に応じて、利用者が選択した元データが記録されている記録媒体に関係無く前記注意画面５１を表示するよう各部を制御する。
【００５１】
図５の下段の図は、前記注意画面５１が表示された後、利用者が前記注意画面５１における＜はい＞ボタン５２を選択、決定し、さらに選択された元データが１つのみ記録されている場合の表示画面の一実施例であり、５４は利用者に警告を与えるための警告画面の一実施例である。５５及び５６は、前記警告画面５４が表示されている間、利用者が選択可能な画面上のボタンであり、前記５２及び５３同様、前記警告画面５４で表示されている警告文に対する利用者の指示を決定するためのものであり、例えば、前記記録再生装置に備え付けられたボタンやリモコン等により、利用者は前記ボタンを選択可能である。利用者の指示に応じて、前記メインＣＰＵ１２０はＯＳＤ合成部１０８を用いて前記注意画面５１を表示する。ここで利用者が上記示した方法により、＜はい＞ボタン５２を選択し、削除処理を継続することを決定した場合には、メインＣＰＵ１２０は前記記録媒体管理部１２１を制御し、前記記録管理情報内の前記バックアップ情報を読み出し、選択されている元データが記録されている記録媒体について解析を行う。さらに、前記メインＣＰＵ１２０は、前記選択されている元データのバックアップデータが存在しない場合は、前記ＯＳＤ合成部１０８を制御し、前記警告画面５４を表示する。ここで利用者が、前記警告画面５４に表示されている＜はい＞ボタン５５を選択し、削除処理継続を決定した場合には、前記メインＣＰＵ１２０は前記記録媒体管理部１２１、及び前記記録媒体制御部１３０及び１４０を制御し、前記選択された元データを記録媒体から記録ヘッドを用いて削除する。これにより、利用者が、バックアップデータが存在しない元データを誤って削除する可能性を減らすことが可能となり、前記記録再生装置の使い勝手を向上する。
【００５２】
バックアップ情報を用いた場合の画像／音声データの削除方法の別の実施例について説明する。図４中の表示選択枠４３を用いて、上記の方法と同じ方法で利用者が削除する元データを選択し、メインＣＰＵ１２０は記録媒体管理部１２１に指示を出し選択した元データのバックアップ情報を読み出す。バックアップ情報にバックアップデータが無いという情報がある場合には、上記の方法と同様に利用者に警告を与え、データ削除の確認をする。前記バックアップ情報がバックアップデータ記録先情報、バックアップデータアドレスである場合には、ＣＰＵ１２０はバックアップデータにアクセスする指示を出し、実際にバックアップデータが存在しているかどうか確認する。以上の操作により、バックアップデータの状況を把握する。バックアップデータが存在するという情報があるがバックアップデータへアクセス不能の場合には、警告を表示し、データ削除の確認をする。前記バックアップ情報がバックアップの有無やバックアップ履歴でありバックアップデータのアドレスが無い場合、バックアップデータが存在する記録媒体が記録再生装置に装着されていない場合や、記録媒体にトラブルがある場合に適用される。バックアップデータが存在するという情報がありバックアップデータへアクセスの場合には警告は表示せずに削除確認をする。この方法では、バックアップデータが存在しない、または存在する確証が無い元データの消去に際して、利用者に警告を与えて誤消去を防ぐことができる。
【００５３】
元データの削除後には、削除された元データのバックアップ情報を削除し、対応するバックアップデータの元データ情報を前記元データが無くなったものとして更新する。バックアップデータが削除されたときにも同様に、元データのバックアップ情報をバックアップデータが無いものに更新する。元データ削除時に削除されたデータに対応するバックアップデータ及び元データ情報にアクセス不能のときは、更新後の元データ情報を他の記録媒体や記録再生装置内蔵のＲＡＭ１２２中に保存し、前記バックアップデータ及び元データ情報にアクセス可能になったときに前記元データ情報を書き換えるようにすることも可能である。ここでは、元データの削除について説明したが、バックアップデータの削除においても元データ情報を用いて同様のことを行う。以上示した通り、画像／音声データのコピーや削除処理の後にも記録管理情報内のバックアップ情報及び元データ情報を更新することにより、正しい情報を利用者に示すことが可能となる。
【００５４】
次に、前述した実施例における削除処理の流れについて、図面を用いて説明する。図６は、利用者が選択した画像／音声データを削除する処理を示したフローチャートの一例である。図において、例えば利用者により画像／音声データの削除指示があると、前記メインＣＰＵ１２０は前記ＯＳＤ合成部１０８を制御し、前記注意画面５１を表示する（ステップ６１）。ステップ６２において、利用者により削除処理を継続する旨の指示があった場合、前記メインＣＰＵ１２０は前記記録媒体管理部１２１を制御し、前記記録管理情報内の前記バックアップ情報を解析し、前記削除対象の画像／音声データが記録されている記録媒体に関する情報を取得し、前記画像／音声データのバックアップデータが存在するか否かを確認する（ステップ６３）。次に、前記削除対象の画像／音声データのバックアップデータが存在しない場合（ステップ６４）、前記メインＣＰＵ１２０は前記ＯＳＤ合成部１０８を制御し、前記警告画面５４を表示する（ステップ６５）。さらに、利用者から削除処理を継続する旨の指示があった場合、前記メインＣＰＵ１２０は前記記録媒体管理部１２１と前記記録媒体制御部１３０及び１４０を制御し、前記削除対象となった画像／音声データを記録媒体から削除する。
【００５５】
以上示した処理の流れで、記録再生装置における削除処理が実行される。以上説明したように、本発明によれば、画像／音声記録再生装置に、記録媒体管理部を設け、元データのバックアップデータに関する情報を示したバックアップ情報を作成し、前記バックアップ情報を記録媒体に記録することにより、記録されている元データのバックアップデータが他の記録媒体に存在するか否かを判断することが可能となる。また、利用者がバックアップデータが存在しない元データを誤って削除しようとしても、前記バックアップ情報により判断され、警告画面を表示することが可能となり、利用者の誤操作を防ぐことが可能となる。これらのことにより、記録再生装置における使い勝手を向上させることができる
【００５６】
【発明の効果】
以上述べたように、本発明による記録再生技術によれば、多数の元データやバックアップデータを記録している記録媒体を管理することができ、記録媒体のデータ管理が容易になる。
【００５７】
また、利用者が削除しようとしたデータの複製が他に記録媒体に記録されていない場合、利用者に警告を与えることができるため、記録再生技術における誤操作を防ぐことが可能となる。
【図面の簡単な説明】
【図１】本発明による記録再生装置における記録再生部の一実施例を示すブロック図である。
【図２】本発明による記録管理情報の１つめの実施例を示す構成図である。
【図３】本発明による記録管理情報の２つめの実施例を示す構成図である。
【図４】本発明によって得られる記録管理情報を用いて記録媒体内のデータを一覧表示する際に表示装置に表示する画面の一実施例である。
【図５】本発明による記録再生装置において削除処理を行う際に表示装置に表示する画面の一実施例である。
【図６】本発明による記録再生装置に置いて削除処理を行う際の処理を示したフローチャートの一例である。
【符号の説明】
１０６　多重化分離化処理部
１０８　ＯＳＤ合成部
１２０　メインＣＰＵ
１２１　記録媒体管理部
１３０　ＤＶＤドライブ制御部
１３２　ＤＶＤ−ＲＡＭ
１４０　メモリカード制御部
１４２　メモリカード
２００　記録管理情報及び記録データ
２１１　記録管理情報
２１２　１つめの記録データ
２２１　記録管理情報
２３１　１つめの記録データに関する記録管理情報
２３２　１つめの記録データに関するバックアップ情報
３００　記録管理情報及び記録データ
３１１　１つめの記録データに関する記録管理情報
３１２　１つめの記録データ
３２１　１つめの記録データの画像サイズ
３２２　１つめの記録データに関するバックアップ情報
４０　外部出力装置の表示枠
４１　記録データの縮小画像
４２　記録データの種別アイコン
４３　表示選択枠
４４　記録データの記録先を示す記録媒体アイコンの一例
４５　記録データの記録先を示す記録媒体アイコンの一例
５１　注意画面
５４　警告画面
【図１】
2004062957.tif 000003
【図２】
2004062957.tif 000004
【図３】
2004062957.tif 000005
【図４】
2004062957.tif 000006
【図５】
2004062957.tif 000007
【図６】
2004062957.tif 000008